【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
静電潜像担持体を帯電手段により帯電する帯電工程、該帯電された静電潜像担持体を露光して静電潜像を形成する露光工程、該静電潜像をトナーで現像してトナー像を静電潜像担持体上に形成する現像工程、該トナー像を中間転写体を介して、又は介さずに転写材へ転写する転写工程、転写されず該静電潜像担持体表面に残存するトナーをクリーニングブレードで除去するクリーニング工程を有する画像形成方法において、
該静電潜像担持体の表面層の動摩擦係数が０．００を超え０．８０以下であり、
該トナーは、結着樹脂、着色剤及びワックスを含有するトナー粒子と、脂肪酸金属塩とを有し、
該脂肪酸金属塩は、該脂肪酸金属塩が添加されたメタノール及び水の混合溶媒に、メタノールを滴下しながら、７８０ｎｍの波長の光の透過率を測定した場合において、透過率がＡ％のときの混合溶媒のメタノール濃度をＤｓ（Ａ）体積％としたときにおけるＤｓ（１０）およびＤｓ（９０）が下記式の関係を満たす脂肪酸金属塩であることを特徴とする画像形成方法。
Ｄｓ（１０）−Ｄｓ（９０）≦４．５０
【請求項２】
前記脂肪酸金属塩の体積基準におけるメジアン径（Ｄ５０）が０．１５μｍ以上０．７５μｍ以下であることを特徴とする請求項１に記載の画像形成方法。
【請求項３】
前記トナーは、前記脂肪酸金属塩の遊離率が１．０％以上２５．０％以下であることを特徴とする請求項１又は２に記載の画像形成方法。
【請求項４】
前記脂肪酸金属塩はステアリン酸亜鉛またはステアリン酸カルシウムであることを特徴とする請求項１乃至３のいずれか一項に記載の画像形成方法。
【請求項５】
前記静電潜像担持体の表面層の動摩擦係数が０．４０以下であることを特徴とする請求項１乃至４のいずれか一項に記載の画像形成方法。
【請求項６】
前記静電潜像担持体の表面層の動摩擦係数が０．２０以下であることを特徴とする請求項１乃至５のいずれか一項に記載の画像形成方法。
【請求項７】
前記トナーの定荷重押し出し方式の細管式レオメータによる測定において１００℃における粘度が５０００乃至５００００Ｐａ・ｓであることを特徴とする請求項１乃至６のいずれか一項に記載の画像形成方法。
【請求項８】
前記トナーは、脂肪酸金属塩の含有率がトナー粒子１００質量部に対し０．０２質量部以上０．５０質量部以下であることを特徴とする請求項１乃至７のいずれか一項に記載の画像形成方法。
【請求項９】
前記トナーの個数基準の円相当径が２μｍ以上のトナー粒子における平均円形度が０．９７０以上１．０００以下であり、モード円形度が０．９８以上１．００以下であることを特徴とする請求項１乃至８のいずれか一項に記載の画像形成方法。
【請求項１０】
前記トナー粒子は、重合性単量体、着色剤を含有する単量体組成物を水系媒体中で造粒し、該重合性単量体を重合して製造されたものであることを特徴とする請求項１乃至９のいずれか一項に記載の画像形成方法。
【請求項１１】
前記静電潜像担持体の表面層が一般式（２）で示される繰り返し構造単位と、一般式（３）で示される繰り返し単位とを有し、かつ末端のいずれか一方又は両方の構造が一般式（４）であるポリカーボネート重合体を含有し、かつ一般式（３）、（４）における平均繰り返し単位数ｍ、ｎの関係が、ｍ＝ｎであることを特徴とする請求項１乃至１０のいずれか一項に記載の画像形成方法。
【化１】
2010054772.tif 000001
（一般式（２）中、Ｘは単結合、−Ｏ−、−Ｓ−又は置換もしくは無置換のアルキリデン基を示す。Ｒ11〜Ｒ18はそれぞれ、水素原子、ハロゲン原子、アルコキシ基、ニトロ基、置換もしくは無置換のアルキル基又は置換もしくは無置換のアリール基を示す。）
【化２】
2010054772.tif 000002
（一般式（３）中、Ｒ21及びＲ22は水素原子、アルキル基又はアリール基を示す。Ｒ23〜Ｒ26はそれぞれ、水素原子、ハロゲン原子、置換もしくは無置換のアルキル基又はアリール基を示す。ａは１以上３０以下の正の整数を示し、ｍは１以上５００以下の正の整数を示す。）
【化３】
2010054772.tif 000003
（一般式（４）中、Ｒ31及びＲ32は水素原子、ハロゲン原子、アルコキシ基、ニトロ基、置換もしくは無置換のアルキル基又はアリール基を示す。Ｒ33及びＲ34は水素原子、アルキル基又はアリール基を示す。Ｒ35〜Ｒ39はそれぞれ、水素原子、ハロゲン原子、置換もしくは無置換のアルキル基又はアリール基を示す。ｂは１以上３０以下の正の整数を示し、ｎは１以上５００以下の正の整数を示す。）
【請求項１２】
【化４】
2010054772.tif 000004
（一般式（５）中、ｌは平均繰り返し単位数を示す。）
前記一般式（５）で示されるポリジメチルシロキサンの割合が、前記ポリカーボネート重合体に対して５．０質量％以上２０．０質量％以下であり、かつこれらの混合物の含有量が表面層に含まれる全固形分に対して０．１質量％以上５．０質量％以下である請求項１乃至１１のいずれか一項に記載の画像形成方法。
【請求項１３】
一つ以上の静電潜像担持体、該静電潜像担持体を帯電させるための帯電手段、該帯電された静電潜像担持体を露光して静電潜像を形成するための露光手段、該静電潜像をトナーで現像するための現像手段、該静電潜像担持体上に形成されたトナー像を中間転写体に一次転写させるための一次転写装置、及び、該中間転写体上に転写されたトナー像を記録媒体に二次転写させるための二次転写装置を有する画像形成装置において、
該静電潜像担持体の表面層の動摩擦係数が０．００を超え０．８０以下であり、
該トナーは、結着樹脂、着色剤及びワックスを含有するトナー粒子と、脂肪酸金属塩とを有し、
該脂肪酸金属塩は、該脂肪酸金属塩が添加されたメタノール及び水の混合溶媒に、メタノールを滴下しながら、７８０ｎｍの波長の光の透過率を測定した場合において、透過率がＡ％のときの混合溶媒のメタノール濃度をＤｓ（Ａ）体積％としたときにおけるＤｓ（１０）およびＤｓ（９０）が下記式の関係を満たす脂肪酸金属塩であることを特徴とする画像形成装置。
Ｄｓ（１０）−Ｄｓ（９０）≦４．５０
【手続補正２】
【補正対象書類名】明細書
【補正対象項目名】００１７
【補正方法】変更
【補正の内容】
【００１７】
上記目的を達成するため、本出願に係わる第１の発明は、静電潜像担持体を帯電手段により帯電する帯電工程、該帯電された静電潜像担持体を露光して静電潜像を形成する露光工程、該静電潜像をトナーで現像してトナー像を静電潜像担持体上に形成する現像工程、該トナー像を中間転写体を介して、又は介さずに転写材へ転写する転写工程、転写されず該静電潜像担持体表面に残存するトナーをクリーニングブレードで除去するクリーニング工程を有する画像形成方法において、
該静電潜像担持体の表面層の動摩擦係数が０．００を超え０．８０以下であり、
該トナーは、結着樹脂、着色剤及びワックスを含有するトナー粒子と、脂肪酸金属塩とを有し、
該脂肪酸金属塩は、該脂肪酸金属塩が添加されたメタノール及び水の混合溶媒に、メタノールを滴下しながら、７８０ｎｍの波長の光の透過率を測定した場合において、透過率がＡ％のときの混合溶媒のメタノール濃度をＤｓ（Ａ）体積％としたときにおけるＤｓ（１０）およびＤｓ（９０）が下記式の関係を満たす脂肪酸金属塩であることを特徴とする。
【手続補正３】
【補正対象書類名】明細書
【補正対象項目名】００２６
【補正方法】変更
【補正の内容】
【００２６】
本出願に係わる第１０の発明は、前記トナー粒子は、重合性単量体、着色剤を含有する単量体組成物を水系媒体中で造粒し、該重合性単量体を重合して製造されたものであることを特徴とする。
【手続補正４】
【補正対象書類名】明細書
【補正対象項目名】００２８
【補正方法】変更
【補正の内容】
【００２８】
【化１】
2010054772.tif 000005
（一般式（２）中、Ｘは単結合、−Ｏ−、−Ｓ−又は置換もしくは無置換のアルキリデン基を示す。Ｒ11〜Ｒ18はそれぞれ、水素原子、ハロゲン原子、アルコキシ基、ニトロ基、置換もしくは無置換のアルキル基又は置換もしくは無置換のアリール基を示す。）
【手続補正５】
【補正対象書類名】明細書
【補正対象項目名】００２９
【補正方法】変更
【補正の内容】
【００２９】
【化２】
2010054772.tif 000006
（一般式（３）中、Ｒ21及びＲ22は水素原子、アルキル基又はアリール基を示す。Ｒ23〜Ｒ26はそれぞれ、水素原子、ハロゲン原子、置換もしくは無置換のアルキル基又はアリール基を示す。ａは１以上３０以下の正の整数を示し、ｍは１以上５００以下の正の整数を示す。）
【手続補正６】
【補正対象書類名】明細書
【補正対象項目名】００３０
【補正方法】変更
【補正の内容】
【００３０】
【化３】
2010054772.tif 000007
（一般式（４）中、Ｒ31及びＲ32は水素原子、ハロゲン原子、アルコキシ基、ニトロ基、置換もしくは無置換のアルキル基又はアリール基を示す。Ｒ33及びＲ34は水素原子、アルキル基又はアリール基を示す。Ｒ35〜Ｒ39はそれぞれ、水素原子、ハロゲン原子、置換もしくは無置換のアルキル基又はアリール基を示す。ｂは１以上３０以下の正の整数を示し、ｎは１以上５００以下の正の整数を示す。）
【手続補正７】
【補正対象書類名】明細書
【補正対象項目名】００３１
【補正方法】変更
【補正の内容】
【００３１】
本出願に係わる第１２の発明は、下記一般式（５）で示されるポリジメチルシロキサンの割合が、前記ポリカーボネート重合体に対して５．０質量％以上２０．０質量％以下であり、かつこれら上記２種の混合物の含有量が表面層に含まれる全固形分に対して０．１質量％以上５．０質量％以下であることを特徴とする。
【手続補正８】
【補正対象書類名】明細書
【補正対象項目名】００３３
【補正方法】変更
【補正の内容】
【００３３】
本出願に係わる第１３の発明は、一つ以上の静電潜像担持体、該静電潜像担持体を帯電させるための帯電手段、該帯電された静電潜像担持体を露光して静電潜像を形成するための露光手段、該静電潜像をトナーで現像するための現像手段、該静電潜像担持体上に形成されたトナー像を中間転写体に一次転写させるための一次転写装置、及び、該中間転写体上に転写されたトナー像を記録媒体に二次転写させるための二次転写装置を有する画像形成装置において、
該静電潜像担持体の表面層の動摩擦係数が０．００を超え０．８０以下であり、
該トナーは、結着樹脂、着色剤及びワックスを含有するトナー粒子と、脂肪酸金属塩とを有し、
該脂肪酸金属塩は、該脂肪酸金属塩が添加されたメタノール及び水の混合溶媒に、メタノールを滴下しながら、７８０ｎｍの波長の光の透過率を測定した場合において、透過率がＡ％のときの混合溶媒のメタノール濃度をＤｓ（Ａ）体積％としたときにおけるＤｓ（１０）およびＤｓ（９０）が下記式の関係を満たす脂肪酸金属塩であることを特徴とする。
Ｄｓ（１０）−Ｄｓ（９０）≦４．５０